(57)【要約】【課題】本発明は、所定位置に光を導くべく、重ね合わされた一対の導光板のそれぞれに対し、光源からの光を略同等の効率で入射させることができるようにした上で、安定した照度を得ることができ、しかもコスト低減を可能とした照明装置を提供することを課題とする。【解決手段】一方の面が一端面に対して略直角をなすとともに、他方の面が他端に向けて一方の面側に傾斜してなる透過性材料で構成された一対の導光板１ａ，１ｂと、該一対の導光板１ａ，１ｂのそれぞれの前記一端面に対向配置され、前記一端面に対して略直角の入射角で光を照射する光源４とを有し、一方の導光板１ａは、一端面を他方の導光板１ｂの他端側に位置させて、一方の面が、他方の導光板１ｂの他方の面に当接配置されてなることを特徴とする。【選択図】　図１
2004127653.tif 000002
【特許請求の範囲】
【請求項１】
一方の面が一端面に対して略直角をなすとともに、他方の面が他端に向けて一方の面側に傾斜してなる透過性材料で構成された一対の導光板と、該一対の導光板のそれぞれの前記一端面に対向配置され、前記一端面に対して略直角の入射角で光を照射する光源とを有し、一方の導光板は、一端面を他方の導光板の他端側に位置させて、一方の面が、他方の導光板の他方の面に当接配置されてなることを特徴とする照明装置。
【請求項２】
前記光源から発せられる光を導光板の一端面に向けて反射させる反射傘を更に備えてなる請求項１記載の照明装置。
【発明の詳細な説明】
【０００１】
【発明の属する技術分野】
本発明は、液晶表示装置等の照明装置に関する。
【０００２】
【従来の技術】
従来から、液晶表示装置のバックライト等の照明装置として種々形態のものが提供されている。
【０００３】
かかる照明装置は、図２に示す如く、一対の導光板９ａ，９ｂが重ね合わされて形成された導光体１０と、該導光体１０に光を照射する光源装置１１ａ，１１ｂとを備えている。
【０００４】
前記一対の導光板９ａ，９ｂのそれぞれは、透過性材料により構成されており、一方の面が一端面に対して直角をなし、他方の面が他端に向けて一方の面側に傾斜した楔形状に設定されている。また、一方の導光板９ａの一方の面、及び他方の導光板９ｂの他方の面には、内部に導入された光を反射させるとともに、外部からの光が入射できるように加工が施されている。なお、一方の導光板９ａの一方の面における光の反射効率を更に高くすべく、反射板１２が一方の導光板９ａの一方の面に対向して配置されている。
【０００５】
このように構成された導光板９ａ，９ｂは、他方の面（傾斜面）同士を当接させることで、外観略直方体の前記導光体１０を形成するようになっている。
【０００６】
前記光源装置１１ａ，１１ｂは、外観略円柱状の光源である放電管１３と、該放電管１３からの光を導光体１０の一端面に向けて反射させる樋状の反射傘１４ａ，１４ｂとで構成されている。
【０００７】
前記放電管１３は、軸心が各導光板９ａ，９ｂの一端面に対して略平行をなすように、各導光板９ａ，９ｂの一端面に対向して配置されている。
【０００８】
一方の導光板９ａに対応して設けられた光源装置１１ａは、放電管１３からの光が導光板９ａの一端面から入射し、該光が該一端面と直角をなす一方の面に到達した際に、該一方の面に対して所定の照射角度α°で到達するように反射傘１４ａが配置されている。これにより、一方の導光板９ａの一端面から入射した光が、該導光板９ａの内部に入射して一方の面で反射し、該導光板の他方の面、及び他方の導光板９ｂを介して液晶パネル（図示しない）の裏面（所定位置）に向けて照射されるようになっている。
【０００９】
他方の導光板９ｂに対応して設けられた光源装置１１ｂは、放電管１３からの光が導光板９ｂの一端面に対して略直角（一端面を介して、他方の導光板９ｂの他方の面に対して所定角度）で入射するように反射傘１４ｂが配されている。これにより、他方の導光板９ｂの一端面から入射した光が、該導光板９ｂの内部に入射して他方の面（一対の導光板９ａ，９ｂの境界面）で反射し、該導光板９ｂの一方の面を介して液晶パネルに向けて照射されるようになっている。
【００１０】
また、上記構成の照明装置は、少なくとも何れか一方の光源装置１１ａ，１１ｂを選択して放電管１３を点灯すれば、導光体１０（一対の導光板９ａ，９ｂ）から点灯した放電管１３の数に対応した照度の光を外部に照射することも可能である（例えば特許文献１参照。）。
【００１１】
【特許文献１】
特開平８―２４０７２１号公報
【００１２】
【発明が解決しようとする課題】
しかしながら、上記照明装置は、一方の導光板９ａの一方の面で光を反射させるように構成されているため、該導光板９ａの一端面に対し所定の入射角度β°で光を照射させ得るように放電管１３（光源装置１１ａ，１１ｂ）を配置しなければならない。そのため、一方の導光板９ａの一端面に向けて照射された光の一部が、一端面で反射してしまい、放電管１３からの光を一方の導光板９ａ（導光体１０）内に確実に入射させることができずに光の入射ロスが生じ、一方の導光板９ａに対応して設けられた放電管１３の性能を最大限活用することができなかった。つまり、照明装置全体としての光効率を低下させてしまっていた。
【００１３】
また、上記構成に照明装置は、一対の導光板９ａ，９ｂの他方の面（傾斜した面）同士を当接させることで、一対の導光板９ａ，９ｂによって外観略直方体の導光体１０を形成するように構成されているので、内部の入射した光を効率良く反射させるべく、上記のように一方の導光板９ａの一方の面、及び他方の導光板９ｂの他方の面に加工を施す場合には、一対の導光板９ａ，９ｂのそれぞれを異なった構成のものにしなければならず、導光板９ａ，９ｂの製作にあたり、コストの高騰を招くといった問題があった。
【００１４】
そこで、本発明は、斯かる実情に鑑み、所定位置に光を導くべく、重ね合わされた一対の導光板のそれぞれに対し、光源からの光を略同等の効率で入射させることができるようにした上で、安定した照度を得ることができ、しかもコスト低減を可能とした照明装置を提供することを課題とする。
【００１５】
【課題を解決するための手段】
本発明にかかる照明装置は、請求項１記載の如く、一方の面が一端面に対して略直角をなすとともに、他方の面が他端に向けて一方の面側に傾斜してなる透過性材料で構成された一対の導光板と、該一対の導光板のそれぞれの前記一端面に対向配置され、前記一端面に対して略直角の入射角で光を照射する光源とを有し、一方の導光板は、一端面を他方の導光板の他端側に位置させて、一方の面が、他方の導光板の他方の面に当接配置されてなることを特徴とする。
【００１６】
上記照明装置によれば、一方の導光板の一端面に照射される光源の光が、該導光板の一端面に対して略直角の入射角で照射されるので、光源からの光が一端面で反射するのを抑えることができる。その上、上記導光板を上記構成にすれば、他方の面が一端面に対しても所定角度で傾斜することとなるので、一端面から略直角で入射した光が、進行方向を維持したまま、導光板の他方の面に対して所定の入射角度を有して到達することとなり、該光を他方の面で反射させることができ、該反射させた光を他方の導光板を介して所定位置に照射させることができる。つまり、光源から発せられる光の損失を抑えることができ、光源からの光を効率よく所定位置に照射することができる。
【００１７】
また、他方の導光板の一端面に照射される光源の光においても、該導光板の一端面に対して略直角の入射角で照射されるので、光源からの光が一端面で反射するのを抑えることができる。その上、上記一方の導光板と同様に、他方の面が一端面に対しても所定角度を傾斜することとなるので、一端面から略直角で入射した光が、進行方向を維持したまま、該導光板の他方の面に対して所定の入射角度を有して到達することとなり、該光を他方の面で反射させることができ、該反射させた光を該導光板の一方の面を介して所定位置に照射させることができる。つまり、他方の導光板に照射される光源から発せられる光においても、損失を抑えることができ、所定位置に効率良く照射することができる。
【００１８】
さらに、一対の導光板のそれぞれの他方の面で、光源からの光を効率よく反射させるように、該他方の面に加工を施す場合においても、一対の導光板のそれぞれを同一構成とすることができるので、該導光板のそれぞれを別個独立の異なった構成のものとする必要がなく、照明装置の製造においてコストの低減を可能にすることができる。
【００１９】
また、請求項２記載の如く、前記光源から発せられる光を導光板の一端面に向けて反射させる反射傘を更に備えてもよい。このようにすれば、光源が導光板の一端面と対向していない部分から光を発するもの（例えば、外観円柱状の放電管等）であっても、それらの光を反射傘によって反射させることで、各導光板の一端面に効率良く照射することができ、光の損失を少なくすることができる。これにより、光源の性能を最大限活用した照明装置を提供することができる。
【００２０】
【発明の実施の形態】
以下、本発明の一実施形態にかかる照明装置について、添付図面を参酌しつつ説明する。
【００２１】
本実施形態にかかる照明装置は、パソコンやＯＡ機器等のディスプレイとして採用される液晶表示装置のバックライトとして採用されるものである。
【００２２】
かかる照明装置は、図１に示す如く、外観略楔形状の一対の導光板１ａ，１ｂを重ね合わせて形成され、光を液晶パネル（図示しない）の裏面側等（所定位置）に導く導光体２と、該導光体２に光を照射する光源装置３とで構成されている。
【００２３】
前記一対の導光板１ａ，１ｂのそれぞれは、同一の構成を有しており、透過性材料（光の透過が可能な透明や半透明等の材料）により楔形状に形成されている。具体的には、前記一対の導光板１ａ，１ｂのそれぞれは、前記光源装置３からの光が照射される一端面（以下、入射面という）に対し、一方の面が略直角をなす（以下、この面と直角面という）とともに、他方の面が他端に向けて前記直角面側に傾斜（以下、この面を傾斜面Ｒという）した形状に設定されている。
【００２４】
該一対の導光板１ａ，１ｂのそれぞれの傾斜面Ｒには、各導光板１ａ，１ｂ内部に入射した光を、各導光板１ａ，１ｂの直角面に向けて反射させるべく加工が施されている。この加工は、傾斜面Ｒを凹凸状に加工したり、光を拡散させる拡散材の含有した塗料が塗布されたりすることにより行われている。
【００２５】
このように構成された一対の導光板１ａ，１ｂは、一方の導光板１ａの入射面と、他方の導光体１ｂの他端とを一致させた状態で、一方の導光板１ａの直角面に、他方の導光板１ｂの傾斜面Ｒを当接させて重ね合わせることで、導光体２を形成するように構成されている。なお、導光体２内に入射した光を更に効率よく反射させるべく、反射板６が、導光体２の一方の面（一方の導光板１ａの傾斜面Ｒ）と隣接して対向配置されるとともに、導光体２内部から出射する光を液晶パネルに効率よく照射させるべく、プリズムシート７、及び拡散板８が、導光体２の他方の面（他方の導光板１ｂの直角面）と対向して配設されている。
【００２６】
前記光源装置３は、光源である外観略円柱状の放電管４と、該放電管４から発せられる光を導光板１ａ，１ｂの入射面に向けて反射させる反射傘５とで構成されている。
【００２７】
前記放電管４は、軸心を入射面の長手方向に位置させ、入射面に対して略平行となるように、各導光板１ａ，１ｂの一端面に対して対向配置されている。
【００２８】
前記反射傘５は、樋状をなしており内周面が鏡面状に仕上げられている。該反射傘５は、導光板１ａ，１ｂの入射面に対して対向配置された放電管４の外周面（入射面と対向していない外周面）と対向するように配置され、放電管４の外周面から放射状に発せられる光を導光板１ａ，１ｂの入射面に向けて反射させるように構成されている。
【００２９】
以上のような構成からなる照明装置は、放電管４を点灯すると、該放電管４からの光が導光板１ａ，１ｂの入射面から入射し、該光が傾斜面Ｒに到達して反射し、他方の導光板１ｂの直角面からプリズムシート７、及び拡散板８を介して液晶パネルの裏面に対して照射されるようになっている。
【００３０】
具体的には、該照明装置は、一方の導光板１ａの入射面に対し、一方の光源装置３からの光（放電管４からの直接光、及び該直接光が反射傘５によって反射された反射光）が略直角で入射し、該光が入射方向を維持させた状態で進み、該導光板１ａの傾斜面Ｒに対して所定の入射角度α°で到達（一部の光は、傾斜面Ｒを通過して反射板６に到達）し、傾斜面Ｒ又は反射板６で反射するようになっている。さらに、傾斜面Ｒ又は反射板６で反射した光が、該一方の導光板１ａの直角面、他方の導光板１ｂの内部を介して、前記プリズムシート７、及び拡散板８に到達し、該光がプリズムシート７及び拡散板８を通過すると拡散されて液晶パネルに照射されるようになっている。
【００３１】
また、他方の導光板１ｂの入射面に対し、他方の光源装置３からの光（放電管４からの直接光、及び該直接光が反射傘５によって反射された反射光）が略直角で入射し、入射方向を維持させた状態で該導光板１ｂの傾斜面Ｒに到達して反射するようになっており、この反射した光が、該他方の導光板１ｂの内部を介して、前記プリズムシート７、及び拡散板８に到達し、該光がプリズムシート７及び拡散板８を通過すると拡散されて液晶パネルに照射されるようになっている。
【００３２】
以上構成からなる照明装置によれば、各導光板１ａ，１ｂの入射面に照射される光源装置３からの光が、各入射面に対して略直角の入射角度で照射されるように構成されているので、入射面での光の反射を抑えることができ、これによって各導光板１ａ，１ｂに光源装置３からの光を効率よく入射させることができる。したがって、導光体２、プリズムシート７及び拡散板８を介して液晶パネルに照射する光を、放電管４の性能を最大限活用したものとすることができる。
【００３３】
また、導光体２を同一構成の一対の導光板１ａ，１ｂを重ね合わせることで形成するようにしたので、これらの導光板１ａ，１ｂを製造するに際し、金型等を別個に用意したり、独立した製造工程を別途設けたりする必要がなく、コスト低減を可能にすることができる。
【００３４】
尚、本発明の照明装置は、上記実施形態に限定されるものではなく、本発明の要旨を逸脱しない範囲内において種々変更を加え得ることは勿論である。
【００３５】
本実施形態において、一対の導光板１ａ，１ｂの傾斜面Ｒのそれぞれに、光の反射効率を促進させるように加工を施したが、これに限定されるものではない。すなわち、導光板１ａ，１ｂの材質、色などの要素のよって、傾斜面Ｒが加工を施されていない未加工のものであっても光を反射させることができる。この場合にあっては、一方の導光板１ａの傾斜面Ｒに本実施形態にかかる反射板６を隣接配置させることが好ましい。
【００３６】
本実施形態において、一方の導光板１ａの傾斜面Ｒを加工するとともに、該傾斜面Ｒに対して反射板６を隣接配置したが、これに限定されるものではなく、例えば、一方の導光板１ａの傾斜面Ｒに対し光の反射率の高い加工を施せば、反射板６を必ずしも設ける必要はない。ただし、コスト低減の観点から、一対の導光板１ａ，１ｂを同一構成のものにすべく、傾斜面Ｒに対する加工は、一方の導光板１ａから出射される光が他方の導光板１ｂの傾斜面Ｒを透過（外部からの光が入射）し得るようにすることは勿論のことである。
【００３７】
【発明の効果】
以上のように、本発明にかかる照明装置は、光を所定位置に導くべく、一方の導光板における一端面に対して直角をなす一方の面と、他方の導光板における一端面から他端に向けて一方の面側に傾斜してなる他方の面とを当接させるようにし、しかも、導光板の一端面に対し、略直角の入射角度で光源からの光を照射するようにしたので、一対の導光板のそれぞれの一端面に照射される光源からの光が、該一端面で反射するのを抑えた上で、該光を導光板内部に効率良く入射させることができ、該入射した光を各導光板の他方の面で反射させて所定位置に効率良く、且つ安定して照射させることができる。
【００３８】
さらに、各導光板が同一構成に設定されているので、導光板を制作するに際し、別個独立の制作工程等を要さず、コスト低減を可能にすることができる。
【図面の簡単な説明】
【図１】本発明の一実施形態にかかる照明装置の概略断面図
【図２】従来の照明装置の概略断面図
【符号の説明】
１ａ　導光板
１ｂ　導光板
２　導光体
３　光源装置
４　放電管（光源）
５　反射傘
６　反射板
７　プリズムシート
８　拡散板
【図１】
2004127653.tif 000003
【図２】
2004127653.tif 000004